(57)【要約】【課題】木質バイオマスの流通を促進させる木質バイオマスの流通支援装置を提供する。【解決手段】木質バイオマスの流通支援装置は、提供木質バイオマスについての木材情報および保管情報を記憶する提供木材データベースと、過去に含水情報が測定された参照木質バイオマスについての木材情報、保管情報、および含水推移情報を対応づけて格納する参照木材データベースと、提供木質バイオマスの木材情報および保管情報と参照木材データベースに格納されている木材情報および保管情報との比較に基づいて、参照木材データベースに格納されている含水推移情報を参照含水推移情報として取得する参照含水推移取得部と、参照含水推移情報に基づいて、推定対象時刻における提供木質バイオマスの推定含水情報を算出する含水情報推定部と、提供木質バイオマスの木材情報および推定含水情報とを含む出力情報を生成する出力情報生成部と、出力情報を出力する出力部と、を備える。【選択図】  図１
2019091111.tif 000002
【特許請求の範囲】
【請求項１】
木質バイオマスの流通を支援するための木質バイオマスの流通支援装置であって、
被提供者に提供するために保管されている提供木質バイオマスについての燃料種類および樹種を含む木材情報、および保管方法を含む保管情報を記憶する提供木材データベースと、
過去に含水情報が測定された参照木質バイオマスについての前記木材情報、前記保管情報、および前記含水情報の測定値の経時的な推移である含水推移情報を対応づけて格納する参照木材データベースと、
前記提供木質バイオマスの前記木材情報および前記保管情報を取得する推定対象情報取得部と、
前記提供木質バイオマスの前記木材情報および前記保管情報と前記参照木材データベースに格納されている前記木材情報および前記保管情報との比較に基づいて、前記参照木材データベースに格納されている前記含水推移情報を参照含水推移情報として取得する参照含水推移取得部と、
前記参照含水推移情報に基づいて、推定対象時刻における前記提供木質バイオマスの前記含水情報の推定値である推定含水情報を算出する含水情報推定部と、
前記提供木質バイオマスの前記木材情報と、前記推定対象時刻における前記推定含水情報と、を含む出力情報を生成する出力情報生成部と、
前記出力情報生成部が生成した前記出力情報を出力する出力部と、を備えることを特徴とする木質バイオマスの流通支援装置。
【請求項２】
前記木材情報は、さらに、前記提供木質バイオマスの入手場所を含むことを特徴とする請求項１に記載の木質バイオマスの流通支援装置。
【請求項３】
前記含水情報推定部は、                                        
前記参照含水推移情報に基づいて前記含水情報の値の低下速度を算出する低下速度算出部と、
前記推定対象時刻よりも所定時間だけ前の推定起点時刻における前記含水情報である起点含水情報を取得する起点含水情報取得部と、
前記起点含水情報と前記低下速度とに基づいて、前記推定対象時刻における前記推定含水情報を算出する推定実行部と、を有することを特徴とする請求項１または２に記載の木質バイオマスの流通支援装置。
【請求項４】
前記提供木質バイオマスが保管されている保管場所における過去環境情報を記憶する環境データベースと、
前記提供木質バイオマスが保管される前記保管場所における前記推定起点時刻から前記推定対象時刻までの前記過去環境情報を前記環境データベースから取得する過去環境情報取得部と、をさらに備え、
前記参照木材データベースは、さらに、前記参照木質バイオマスの前記含水情報の測定時の環境情報を前記含水推移情報に対応づけて記憶しており、
前記参照含水推移取得部は、前記過去環境情報取得部によって取得された前記保管場所における前記過去環境情報、前記木材情報および前記保管情報と、前記参照木材データベースに格納されている前記環境情報、前記木材情報および前記保管情報との比較に基づいて、前記参照木材データベースに格納されている前記参照木質バイオマスの前記含水推移情報を取得することを特徴とする請求項３に記載の木質バイオマスの流通支援装置。
【請求項５】
前記提供木材データベースは、測定された前記提供木質バイオマスの前記含水情報である測定含水情報をさらに記憶し、
前記推定起点時刻は、前記測定含水情報が測定された時刻であり、
前記起点含水情報は、前記測定含水情報であることを特徴とする請求項３または４に記載の木質バイオマスの流通支援装置。
【請求項６】
前記木材情報は、さらに、前記燃料種類に応じて加工される前記提供木質バイオマスの原料の由来に関する情報である原料由来を含み、
前記参照含水推移情報が有する前記含水情報の最初の測定値に基づいて、前記提供木質バイオマスの前記推定起点時刻における前記含水情報の推定値である推定起点含水情報を算出する起点含水情報推定部を、さらに備え、
前記起点含水情報取得部は、前記起点含水情報推定部が算出した前記推定起点含水情報を前記起点含水情報として取得することを特徴とする請求項３または４に記載の木質バイオマスの流通支援装置。
【請求項７】
前記提供木質バイオマスが保管されている保管場所から運搬先に前記提供木質バイオマスを発送する発送予定時刻、前記保管場所から前記運搬先への運搬予定経路、および前記運搬先への到着予定時刻を取得する運搬予定情報取得部と、
前記発送予定時刻における前記提供木質バイオマスの前記含水情報である発送時含水情報を取得する発送時含水情報取得部と、
前記運搬予定経路における前記発送予定時刻から前記到着予定時刻までの環境予測情報を取得する環境予測取得部と、
前記発送時含水情報および前記環境予測情報に基づいて、前記到着予定時刻における前記提供木質バイオマスの前記含水情報の推定値である推定到着時含水情報を算出する到着時含水情報推定部と、をさらに備え、
前記出力情報は、前記推定到着時含水情報をさらに含むことを特徴とする請求項１〜６のいずれか１項に記載の木質バイオマスの流通支援装置。
【請求項８】
過去に前記保管場所から前記運搬先に運搬された運搬済木質バイオマスについての運搬実績経路と、運搬時の前記運搬実績経路における環境情報である運搬時環境実績情報と、前記保管場所から発送された際の前記含水情報である発送時実績含水情報と、前記運搬先に到着した際の前記含水情報である到着時含水実績情報と、を対応づけて格納する運搬実績データベースと、
前記提供木質バイオマスの前記環境予測情報および前記発送時含水情報と前記運搬実績データベースに格納されている前記運搬時環境実績情報および前記発送時実績含水情報との比較に基づいて、前記運搬実績データベースに格納されている前記運搬済木質バイオマスの前記到着時含水実績情報を参照到着時含水情報として取得する参照到着時含水情報取得部と、をさらに備え、
前記到着時含水情報推定部は、前記参照到着時含水情報に基づいて、前記推定到着時含水情報を算出することを特徴とする請求項７に記載の木質バイオマスの流通支援装置。
【請求項９】
前記到着時含水実績情報は、前記運搬先に設置されたボイラにおける前記運搬済木質バイオマスの燃焼時の発熱量から換算される前記含水情報であることを特徴とする請求項８に記載の木質バイオマスの流通支援装置。
【請求項１０】
前記運搬先における運搬先保管方法および運搬先環境予測情報を取得する運搬先情報取得部と、
前記推定到着時含水情報、前記運搬先保管方法、および前記運搬先環境予測情報に基づいて、前記到着予定時刻から所定期間経過後までの前記提供木質バイオマスの前記含水情報の推移を予測する予測部を、さらに備えることを特徴とする請求項９に記載の木質バイオマスの流通支援装置。
【請求項１１】
前記参照到着時含水情報取得部は、前記提供木質バイオマスの前記環境予測情報および前記発送時含水情報と、前記運搬実績データベースに格納されている前記運搬時環境実績情報および前記発送時実績含水情報との類似度を前記運搬実績データベースで管理されるレコード毎に求め、該類似度に基づいて、前記運搬実績データベースに格納されている前記到着時含水実績情報を前記参照到着時含水情報として取得することを特徴とする請求項８または９に記載の木質バイオマスの流通支援装置。
【請求項１２】
前記参照含水推移取得部は、前記提供木質バイオマスの前記木材情報および前記保管情報と、前記参照木材データベースに格納されている前記木材情報および前記保管情報との類似度を、前記参照木材データベースで管理されるレコード毎に求め、該類似度に基づいて、前記参照木材データベースに格納されている前記含水推移情報を前記参照含水推移情報として取得することを特徴とする請求項１〜１１のいずれか１項に記載の木質バイオマスの流通支援装置。
【請求項１３】
前記参照含水推移取得部は、前記提供木質バイオマスの前記木材情報、前記保管情報、および前記提供木質バイオマスが保管されている保管場所における過去環境情報と、前記参照木材データベースに格納されている前記木材情報、前記保管情報および環境情報との類似度を前記参照木材データベースで管理されるレコード毎に求め、該類似度に基づいて、前記参照木材データベースに格納されている前記含水推移情報を前記参照含水推移情報として取得することを特徴とする請求項１〜１１のいずれか１項に記載の木質バイオマスの流通支援装置。
【請求項１４】
前記推定対象情報取得部は、前記含水情報の要求値である要求含水情報を含む要求木材情報を取得すると共に、取得した前記要求木材情報で前記提供木材データベースを検索することによって、前記木材情報および前記保管情報を取得することを特徴とする請求項１〜１３のいずれか１項に記載の木質バイオマスの流通支援装置。
【発明の詳細な説明】
【技術分野】
【０００１】
本開示は、木質バイオマスの流通を支援する流通支援装置に関する。
【背景技術】
【０００２】
従来から、木質バイオマス燃料を専焼または混焼するプラントが知られている。木質バイオマスはカーボンニュートラルという特性を有しており、地球温暖化の防止、環境負荷軽減などから、その利用の重要性が増している。木質バイオマス燃料は、間伐材など森林から直接産出される木材（原木）や、木材加工から生じる端材や木屑、建築解体材などの産業廃棄物から生産されるが、含水率等の性状のバラツキが大きい。そして、このような木質バイオマス燃料の流通システムとして、例えば特許文献１〜４がある。
【０００３】
特許文献１には、森林内部の伐採現場ではなく、顧客施設の手前の基地局で木質バイオマス燃料への加工を行うことで、顧客に対して効率的かつ経済的に状態の良い要求量を流通させる森林バイオマス流通システムが開示されている。特許文献２には、森林資源の流通過程におけるトレーサビリティを確保し得る森林資源流通管理システムが開示されている。特許文献３には、伐採日、葉枯し期間及び熟成期間が正当に実施されていたか否かを判断することが可能な木材加工のトレーサビリティに関するシステムが開示されている。
【０００４】
また、特許文献４には、購入時期や、樹種、長さ、径、本数、曲がり具合などの要求への適合や、長期的かつ安定的な需要への適合が可能な森林資源流通支援システムが開示されている。より具体的には、データベースの在庫情報および／または生産計画を参照して、注文情報の森林資源に適合する在庫情報または生産計画の森林資源が存在するか否かの判断を通して、注文者の注文を確保する。また、短納期の注文があったときに、長納期の注文に割り当てた森林資源をその短期の注文に振り替え、長納期の注文には生産計画の森林資源を割り当てることにより、時間軸上で、森林資源の在庫、生産計画を柔軟に割り振り、供給する。
【先行技術文献】
【特許文献】
【０００５】
【特許文献１】特開２００５−１０２５１２号公報
【特許文献２】特開２０１１−１８６５８７号公報
【特許文献３】特開２００８−３０１７８３号公報
【特許文献４】特開２０１１−１８６５８６号公報
【発明の概要】
【発明が解決しようとする課題】
【０００６】
今後、木質バイオマスを燃料とするプラントの増大が見込まれる。プラントの安定運転には燃焼性の良好な燃料の安定供給が重要であるが、プラントの数が増大すると、それだけ、要求品質を満たす木質バイオマス燃料の各プラントへの安定供給に支障が生じる可能性が高まる。よって、要求品質を満たす木質バイオマス燃料の調達や、熱需要増に伴う急な調達にも対応できる流通システムの構築が望まれている。他方、燃料生産者の立場からも、年間契約先以外への木質バイオマス燃料の販売など、木材拡販につながる流通システムの構築が望まれている。
【０００７】
上述の事情に鑑みて、本発明の少なくとも一実施形態は、木質バイオマスの流通を促進させる木質バイオマスの流通支援装置を提供することを目的とする。
【課題を解決するための手段】
【０００８】
（１）本発明の少なくとも一実施形態に係る木質バイオマスの流通支援装置は、
木質バイオマスの流通を支援するための木質バイオマスの流通支援装置であって、
被提供者に提供するために保管されている提供木質バイオマスについての燃料種類および樹種を含む木材情報、および保管方法を含む保管情報を記憶する提供木材データベースと、
過去に含水情報が測定された参照木質バイオマスについての前記木材情報、前記保管情報、および前記含水情報の測定値の経時的な推移である含水推移情報を対応づけて格納する参照木材データベースと、
前記提供木質バイオマスの前記木材情報および前記保管情報を取得する推定対象情報取得部と、
前記提供木質バイオマスの前記木材情報および前記保管情報と前記参照木材データベースに格納されている前記木材情報および前記保管情報との比較に基づいて、前記参照木材データベースに格納されている前記含水推移情報を参照含水推移情報として取得する参照含水推移取得部と、
前記参照含水推移情報に基づいて、推定対象時刻における前記提供木質バイオマスの前記含水情報の推定値である推定含水情報を算出する含水情報推定部と、
前記提供木質バイオマスの前記木材情報と、前記推定対象時刻における前記推定含水情報と、を含む出力情報を生成する出力情報生成部と、
前記出力情報生成部が生成した前記出力情報を出力する出力部と、を備える。
【０００９】
例えば木質バイオマスに含まれる水分量が多い場合、木材全体のうち燃料として機能する部分の割合は相対的に小さくなるなど、木質バイオマスに含まれる水分量は、発熱量・着火性・燃焼性など燃料としての燃焼能力に大きな影響を与えるが、保管方法や保管日数などによって時々刻々と変化するといった性質を有する。
【００１０】
上記（１）の構成によれば、木質バイオマスの流通支援装置は、被提供者に対して提供するために提供木材データベースに記憶（蓄積）されている木質バイオマス（提供木質バイオマス）の含水情報（例えば含水率）を、参照木材データベースを用いて推定する。これによって、保管方法や保管日数などによって時々刻々と変化する木質バイオマスの含水情報を、木質バイオマスの被提供者などが適時把握することを可能にすることができる。このように、含水情報を適時把握することが可能になることで、木質バイオマス利用プラントを安定・効率的に運転するために重要な因子である燃料の燃焼能力や量を把握することも可能となる。さらに、燃料費は一般的に木質バイオマス利用プラントの運営コストの大部分を占めるため、プラントを運営する被提供者にとって、木質バイオマスの燃料としての価値を適切に見極めた上での調達が可能となり、プラント運営の安定化という多大なる効果を奏する。
【００１１】
また、提供木材データベースに記憶されている提供木質バイオマスの情報を例えば被提供者の要求に応じてディスプレイなどに表示出力する際は、推定した含水情報（推定含水情報）も出力することで、被提供者に対して含水情報を提示するよう構成される。よって、被提供者は、木質バイオマスの流通支援装置の出力情報を確認することによって、所望の含水率を有する木質バイオマスの提供を受けることが可能であるか否かを迅速に知ることができるようになり、含水率に基づく木質バイオマスの選択を可能とすることができる。このため、熱需要増に伴う急な調達が必要となった場合においても、木質バイオマスの流通支援装置の出力情報を確認することで、適切な木質バイオマスの調達を容易に行うことができる。また、木質バイオマスの提供者は提供木材データベースに自己の提供木質バイオマス燃料の情報を登録することにより、含水情報も含めた木材情報が被提供者に提示されるようになるので、これまで提供実績のない被提供者への提供の可能性を高めることができる。したがって、木質バイオマスの流通の促進を図ることができる。
【００１２】
（２）幾つかの実施形態では、上記（２）の構成において、
前記木材情報は、さらに、前記提供木質バイオマスの入手場所を含む。
上記（２）の構成によれば、提供木質バイオマスの伐採地など入手場所がさらに類似した木質バイオマスを参照可能となる。木質バイオマスは同じ樹種でも生育地域ごとに比重が異なるなど、性質に地域差があるため、より性質の近い木質バイオマスを参照することで、より精度の高い含水情報の推定が可能となる。
【００１３】
（３）幾つかの実施形態では、上記（１）〜（２）の構成において、
前記含水情報推定部は、
前記参照含水推移情報に基づいて前記含水情報の値の低下速度を算出する低下速度算出部と、
前記推定対象時刻よりも所定時間だけ前の推定起点時刻における前記含水情報である起点含水情報を取得する起点含水情報取得部と、
前記起点含水情報と前記低下速度とに基づいて、前記推定対象時刻における前記推定含水情報を算出する推定実行部と、を有する。
上記（３）の構成によれば、提供木質バイオマスの木材情報および保管情報に基づいて参照木材データベースから取得された参照木質バイオマスの参照含水推移情報を対象に、例えば回帰分析を行うことにより低下速度を算出する。また、例えば測定または推定などにより得られる起点含水情報から含水情報の値（含水率など）が低下速度で低下するものとして、推定対象時刻における推定含水情報を算出する。このように参照含水推移情報を用いることで、推定含水情報を算出することがきる。
【００１４】
（４）幾つかの実施形態では、上記（３）の構成において、
前記提供木質バイオマスが保管されている保管場所における過去環境情報を記憶する環境データベースと、
前記保管場所における前記推定起点時刻から前記推定対象時刻までの前記過去環境情報を前記環境データベースから取得する過去環境情報取得部と、をさらに備え、
前記参照木材データベースは、さらに、前記参照木質バイオマスの前記含水情報の測定時の環境情報を前記含水推移情報に対応づけて記憶しており、
前記参照含水推移取得部は、前記過去環境情報取得部によって取得された前記保管場所における前記過去環境情報、前記木材情報および前記保管情報と、前記参照木材データベースに格納されている前記環境情報、前記木材情報および前記保管情報との比較に基づいて、前記参照木材データベースに格納されている前記参照木質バイオマスの前記含水推移情報を前記参照木材データベースから取得する。
上記（４）の構成によれば、含水情報の測定時の環境情報は木質バイオマスの含水率に影響を与えるところ、参照含水推移取得部は、木材情報および保管情報に加え、さらに過去環境情報をも考慮して、参照木材データベースから参照含水推移情報を取得する。これによって、提供木質バイオマスの含水情報を推定するのにより適切な含水推移情報を参照木材データベースから取得できるので、提供木質バイオマスの含水情報の推定精度を高めることができる。
【００１５】
（５）幾つかの実施形態では、上記（３）〜（４）の構成において、
前記提供木材データベースは、測定された前記提供木質バイオマスの前記含水情報である測定含水情報をさらに記憶し、
前記推定起点時刻は、前記測定含水情報が測定された時刻であり、
前記起点含水情報は、前記測定含水情報である。
上記（５）の構成によれば、低下速度を用いて推定含水情報を算出するのに用いられる起点含水情報は、その推定時よりも前に測定された測定含水情報である。つまり、推定含水情報は、測定含水情報から低下速度で含水情報の値が低下するものとして算出される。このように測定値を起点に、推定対象時刻における推定含水情報を算出することにより、推定精度を高めることができる。
【００１６】
（６）幾つかの実施形態では、上記（３）〜（４）の構成において、
前記木材情報は、さらに、前記燃料種類に応じて加工される前記提供木質バイオマスの原料の由来に関する情報である原料由来を含み、
前記参照含水推移情報が有する前記含水情報の最初の測定値に基づいて、前記提供木質バイオマスの前記推定起点時刻における前記含水情報の推定値である推定起点含水情報を算出する起点含水情報推定部を、さらに備え、
前記起点含水情報取得部は、前記起点含水情報推定部が算出した前記推定起点含水情報を前記起点含水情報として取得する。
上記（６）の構成によれば、低下速度を用いて推定含水情報を算出するのに用いられる起点含水情報は、例えば提供木質バイオマスなどを入手した時における含水情報の推定値や、あるいは、参照木材データベースに記憶された前回などの推定値である。つまり、推定含水情報の算出は、提供木質バイオマスの原料由来を含む木材情報および保管情報に基づいて参照木材データベースから取得された参照含水推移情報に基づいて行う。このように、原料由来を加味して参照含水推移情報を取得することにより、含水情報の測定値がない場合であっても、提供木質バイオマスの含水情報の推定を適切に行うことができる。
【００１７】
（７）幾つかの実施形態では、上記（１）〜（６）の構成において、
前記提供木質バイオマスが保管されている保管場所から運搬先に前記提供木質バイオマスを発送する発送予定時刻、前記保管場所から前記運搬先への運搬予定経路、および前記運搬先への到着予定時刻を取得する運搬予定情報取得部と、
前記発送予定時刻における前記提供木質バイオマスの前記含水情報である発送時含水情報を取得する発送時含水情報取得部と、
前記運搬予定経路における前記発送予定時刻から前記到着予定時刻までの環境予測情報を取得する環境予測取得部と、
前記発送時含水情報および前記環境予測情報に基づいて、前記到着予定時刻における前記提供木質バイオマスの前記含水情報の推定値である推定到着時含水情報を算出する到着時含水情報推定部と、をさらに備え、
前記出力情報は、前記推定到着時含水情報をさらに含む。
【００１８】
提供木質バイオマスの購入が決まった場合など、提供者から被提供者に対し、提供木質バイオマスの提供が決まった場合には、提供者の保管場所から被提供者が指定した場所（運搬先）への運搬が行われる。
上記（７）の構成によれば、発送予定時刻、運搬予定経路、到着予定時刻を取得することにより、運搬時の環境予測を用いて、運搬対象の提供木質バイオマスの到着予定時刻おける含水情報の推定値（推定到着時含水情報）が推定される。木質バイオマスの含水率は、運搬時の環境（湿度、温度、天気）などの影響を受けて変動する。したがって、被提供者は、推定到着時含水情報によって、購入するなどした運搬対象の提供木質バイオマスを実際に受け取る際の含水情報の推定値を知ることができる。
【００１９】
（８）幾つかの実施形態では、上記（７）の構成において、
過去に前記保管場所から前記運搬先に運搬された運搬済木質バイオマスについての運搬実績経路と、運搬時の前記運搬実績経路における環境情報である運搬時環境実績情報と、前記保管場所から発送された際の前記含水情報である発送時実績含水情報と、前記運搬先に到着した際の前記含水情報である到着時含水実績情報と、を対応づけて格納する運搬実績データベースと、
前記提供木質バイオマスの前記環境予測情報および前記発送時含水情報と、前記運搬実績データベースに格納されている前記運搬時環境実績情報および前記発送時実績含水情報との比較に基づいて、前記運搬実績データベースに格納されている前記運搬済木質バイオマスの前記到着時含水実績情報を参照到着時含水情報として取得する参照到着時含水情報取得部と、をさらに備え、
前記到着時含水情報推定部は、前記参照到着時含水情報に基づいて、前記推定到着時含水情報を算出する。
上記（８）の構成によれば、運搬対象（運搬予定）の提供木質バイオマスの運搬時の環境予測情報および発送時含水情報に基づいて、過去に運搬された木質バイオマス（運搬済木質バイオマス）に関する実績を格納（蓄積）した運搬実績データベースから運搬済木質バイオマスの到着時の含水情報（参照到着時含水情報）を取得すると共に、取得した参照到着時含水情報に基づいて、運搬対象の提供木質バイオマスの到着予定時刻における含水情報を推定する。これによって、推定到着時含水情報を精度よく予測することができる。
【００２０】
（９）幾つかの実施形態では、上記（８）の構成において、
前記到着時含水実績情報は、前記運搬先に設置されたボイラにおける前記運搬済木質バイオマスの燃焼時の発熱量から換算される前記含水情報である。
上記（９）の構成によれば、運搬実績データベースに格納される運搬済木質バイオマスの到着時含水実績情報は、ボイラに投入（燃焼）することによって測定される発熱量から換算した含水情報である。これによって、推定到着時含水情報を精度よく予測することができる。
【００２１】
（１０）幾つかの実施形態では、上記（９）の構成において、
前記運搬先における運搬先保管方法および運搬先環境予測情報を取得する運搬先情報取得部と、
前記推定到着時含水情報、前記運搬先保管方法、および前記運搬先環境予測情報に基づいて、前記到着予定時刻から所定期間経過後までの前記提供木質バイオマスの前記含水情報の推移を予測する予測部を、さらに備える。
上記（１０）の構成によれば、提供木質バイオマスの運搬先への到着時以降からの含水情報の推移が予測される。これによって、被提供者側は提供木質バイオマスを実際に使用する際の含水情報の予測値を事前に知ることができるため、燃焼性に影響を与える含水情報を加味したプラントの運転が可能となる。
【００２２】
（１１）幾つかの実施形態では、上記（８）〜（１０）の構成において、
前記参照到着時含水情報取得部は、前記提供木質バイオマスの前記環境予測情報および前記発送時含水情報と、前記運搬実績データベースに格納されている前記運搬時環境実績情報および前記発送時実績含水情報との類似度を前記運搬実績データベースで管理されるレコード毎に求め、該類似度に基づいて、前記運搬実績データベースに格納されている前記到着時含水実績情報を前記参照到着時含水情報として取得する。
上記（１１）の構成によれば、例えば、クラスター分析、動的計画法によるマッチングや機械学習（深層機械学習）などを用いて、運搬済木質バイオマスの到着時の含水情報（参照到着時含水情報）を取得する。これによって、運搬対象の提供木質バイオマスの到着予定時刻における含水情報を、推定精度を向上させつつ、運搬実績データベースに格納されている情報を用いて推定することができる。
【００２３】
（１２）幾つかの実施形態では、上記（１）〜（１１）の構成において、
前記参照含水推移取得部は、前記提供木質バイオマスの前記木材情報および前記保管情報と、前記参照木材データベースに格納されている前記木材情報および前記保管情報との類似度を前記参照木材データベースで管理されるレコード毎に求め、該類似度に基づいて、前記参照木材データベースに格納されている前記含水推移情報を前記参照含水推移情報として取得する。
【００２４】
（１３）幾つかの実施形態では、上記（１）〜（１１）の構成において、
前記参照含水推移取得部は、前記提供木質バイオマスの前記木材情報、前記保管情報、および前記提供木質バイオマスが保管されている保管場所における過去環境情報と、前記参照木材データベースに格納されている前記木材情報、前記保管情報および環境情報との類似度を前記参照木材データベースで管理されるレコード毎に求め、該類似度に基づいて、前記参照木材データベースに格納されている前記含水推移情報を前記参照含水推移情報として取得する。
【００２５】
上記（１２）〜（１３）の構成によれば、例えば、クラスター分析、動的計画法によるマッチングや機械学習（深層機械学習）などを用いて、参照含水推移情報を取得する。これによって、提供木質バイオマスの含水情報を、推定精度を向上させつつ、参照木材データベースに格納されている情報を用いて推定することができる。
【００２６】
（１４）幾つかの実施形態では、上記（１）〜（１３）の構成において、
前記推定対象情報取得部は、前記含水情報の要求値である要求含水情報を含む要求木材情報を取得すると共に、取得した前記要求木材情報で前記提供木材データベースを検索することによって、前記木材情報および前記保管情報を取得する。
上記（１４）の構成によれば、被提供者が入力する要求含水情報を用いて提供木材データベースを検索することができ、被提供者は、所望の含水情報を有する提供木質バイオマスの情報を容易に得ることができる。
【発明の効果】
【００２７】
本発明の少なくとも一実施形態によれば、木質バイオマスの流通を促進させる木質バイオマスの流通支援装置が提供される。
【図面の簡単な説明】
【００２８】
【図１】本発明の一実施形態に係る木質バイオマスの流通支援装置を概略的に示す図である。
【図２Ａ】本発明の一実施形態に係る提供木質バイオマスの情報を提供木材データベースへ登録する登録画面を示す図である。
【図２Ｂ】本発明の一実施形態に係る提供木材データベースに登録された提供木質バイオマスの情報を更新する更新画面を示す図である。
【図３】本発明の一実施形態に係る提供木材データベースに登録された提供木質バイオマスの検索画面を示す図である。
【図４】（Ａ）本発明の一実施形態に係る提供木材データベースが管理する木材レコードを示す図である。（Ｂ）本発明の一実施形態に係る参照木材データベースが管理する過去レコードを示す図である。（Ｃ）本発明の一実施形態に係る環境データベースが管理する過去環境レコードを示す図である。
【図５】本発明の一実施形態に係る推定含水情報の推定ロジックを示す図であり、提供木材データベースに提供木質バイオマスの測定含水情報が登録されている場合を示す。
【図６】本発明の一実施形態に係る推定含水情報の推定ロジックを示す図であり、提供木材データベースに提供木質バイオマスの測定含水情報が登録されていない場合を示す。
【図７】本発明の一実施形態に係る提供木材データベースに登録された推定含水情報の推移を示す図であり、提供者タイプＡ（複数の測定含水情報を登録）の場合に対応する。
【図８】本発明の一実施形態に係る提供木材データベースに登録された推定含水情報の推移を示す図であり、提供者タイプＢ（１つの測定含水情報を登録）の場合に対応する。
【図９】本発明の一実施形態に係る提供木材データベースに登録された推定含水情報の推移を示す図であり、提供者タイプＣ（測定含水情報を登録しない）の場合に対応する。
【図１０】本発明の一実施形態に係る運搬後の提供木質バイオマスの含水情報の推定ロジックを示す図である。
【発明を実施するための形態】
【００２９】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００３０】
図１は、本発明の一実施形態に係る木質バイオマスの流通支援装置１を概略的に示す図である。図２Ａは、本発明の一実施形態に係る提供木質バイオマスＦの情報を提供木材データベースＤｆへ登録する登録画面を示す図である。図２Ｂは、本発明の一実施形態に係る提供木材データベースＤｆに登録された提供木質バイオマスＦの情報を更新する更新画面を示す図である。また、図３は、本発明の一実施形態に係る提供木材データベースＤｆに登録された提供木質バイオマスＦの検索画面を示す図である。図４（Ａ）は、本発明の一実施形態に係る提供木材データベースＤｆが管理する木材レコードＲｆを示す図である。図４（Ｂ）は、本発明の一実施形態に係る参照木材データベースＤｐが管理する過去レコードＲｐを示す図である。図４（Ｃ）は、本発明の一実施形態に係る環境データベースＤｗが管理する過去環境レコードＲｗを示す図である。
【００３１】
木質バイオマスの流通支援装置１（以下、単に、流通支援装置１という。）は、木質バイオマスの流通を支援するための装置である。図１に示すように、流通支援装置１は、木質バイオマスの提供者が被提供者（以下、それぞれ単に、提供者、被提供者という。）に提供するために各地で保管する木質バイオマスの情報を外部出力装置（図１ではディスプレイ）にまとめて出力することが可能である。つまり、流通支援装置１は、被提供者に対して、各地に点在するどの保管場所Ｓｐ（図１の黒丸）に、どのような種類、性状の木質バイオマスがどれだけの保管量で保管されているかといった情報を提示することにより、提供者から被提供者への木質バイオマスの流通を支援する。幾つかの実施形態では、流通支援装置１による支援は、複数の提供者および被提供者が流通支援装置１の利用費（システム利用費）の支払いを前提として提供されても良い。
【００３２】
そして、図１に示すように、流通支援装置１は、提供木材データベースＤｆと、参照木材データベースＤｐと、推定対象情報取得部２１と、参照含水推移取得部２２と、含水情報推定部２３と、出力情報生成部３１と、出力部３２と、を備える。流通支援装置１はコンピュータで構成されており、図示しないＣＰＵ（プロセッサ）や、ＲＯＭやＲＡＭといったメモリ（記憶装置）などを備えており、主記憶装置にロードされたプログラム（流通支援プログラム）の命令に従ってＣＰＵが動作（データの演算など）することで、上記の各機能部を実現する。また、流通支援装置１は、ディスプレイ、プリンタなどの外部出力装置に接続されることにより、外部出力装置を介して出力情報Ｉｏを被提供者などに提示する。
【００３３】
以下、流通支援装置１が備える上記の各機能部について、図１〜図４を用いてそれぞれ説明する。なお、以下の説明では、提供者は、図２Ａに例示するような登録画面を介して、所有する木質バイオマスの情報を提供木材データベースＤｆに予め登録しておき、被提供者である購入者は、図３に例示するような検索画面を通して、入力した検索条件Ｑに合致する出力情報Ｉｏを得るものとする。また、提供木質バイオマスＦの水分量に関する情報である含水情報Ｈは含水率であるものとして説明する。含水率は、原料利用分野においては、一般的に水を含めた全体の重量に対する水分重量の比である湿量基準含水率が用いられるが、全乾重量に対する水分重量の比である乾量基準含水率を用いても良い。また、以下で述べられる推定対象時刻ｔｅ、推定起点時刻ｔｏ、測定時刻ｔｍなどの時刻の厳密さは任意であり、秒、分、時、日、年など、状況に応じて必要な範囲まで特定されれば良いものとする。
【００３４】
提供木材データベースＤｆは、被提供者に提供するために保管されている木質バイオマス（以下、提供木質バイオマスＦという。）の情報を記憶するためのデータベースであり、提供木質バイオマスＦについての木材情報Ｂおよび保管情報Ｓを記憶する。木材情報Ｂは提供木質バイオマスＦの燃料情報であり、例えばペレットや、チップ、ＰＫＳ（Palm Kernel Shell）、ＥＦＢ(Empty Fruit Bunches)といった燃料タイプを示す燃料種類Ｂｔと、針葉樹や広葉樹などの原木の種類を示す樹種Ｂｋの情報を含む。保管情報Ｓは提供木質バイオマスＦの保管に関する情報であり、屋内保管や、屋外保管、室温管理された倉庫保管など示す保管方法Ｓｍを含む。よって、提供木材データベースＤｆに記憶される各レコード（以下、適宜、木材レコードＲｆ）はこれらの情報をそれぞれ記憶するための情報フィールドを有する（図４（Ａ）参照）。また、１以上の提供者が少なくとも１種類の提供木質バイオマスＦを登録することにより、登録された各々の提供木質バイオマスＦに対応した木材レコードＲｆが提供木材データベースＤｆに記憶される。そして、このような登録が複数行われることで、提供木材データベースＤｆには複数の木材レコードＲｆが蓄積されていく。なお、各木材レコードＲｆには、登録画面（図２Ａ）などを通した提供木質バイオマスＦの登録毎に１つの木材レコードＲｆが生成されると共に、登録された提供木質バイオマスＦ毎（木材レコードＲｆ毎）に一意に識別可能な木材識別番号が付与される。
【００３５】
図１〜図４に示す実施形態では、提供木材データベースＤｆに登録される提供木質バイオマスＦの情報は、図２Ａに示すように、入手日時と、入手場所と、原料由来Ｂｄ（後述）と、上述した燃料種類Ｂｔ（燃料タイプ）と、重量［ｔ：トン］と、樹種Ｂｋと、含水率（含水情報Ｈ）およびその測定日時（測定時刻ｔｍ）と、上述した保管情報Ｓ（保管方法Ｓｍ、および住所などの保管場所Ｓｐ）と、設定価格［円／ｔ］との情報を含んでいる。よって、木材レコードＲｆはこれらの情報を格納するための情報フィールドを有している。
【００３６】
なお、図２Ａに示す実施形態の登録画面では、樹種Ｂｋについて選択した広葉樹または針葉樹に応じたより詳細な樹種Ｂｋ（アカマツ、クロマツなど）が表示されるようになっており、樹種Ｂｋをより細かく選択できるようになっている。同様なことは、図３の検索画面でも行っても良い。
【００３７】
参照木材データベースＤｐは、過去に含水情報Ｈが測定された木質バイオマス（以下、参照木質バイオマスＦｒという。）についての上述した木材情報Ｂ、保管情報Ｓ、および含水情報Ｈの測定値の経時的な推移である含水推移情報Ｈｔを対応づけて記憶するデータベースである。つまり、参照木材データベースＤｐに記憶される各レコード（以下、適宜、過去レコードＲｐ）は、木材情報Ｂと、保管情報Ｓと、含水推移情報Ｈｔとをそれぞれ記憶するための情報フィールドを少なくとも有する（図４（Ｂ）参照）。また、含水推移情報Ｈｔを記憶するための情報フィールドは、提供木質バイオマスＦの含水率の測定結果（後述する測定含水情報Ｈｍ）およびその測定時刻ｔｍをセットとして、複数セットが記憶可能に構成されている。そして、この参照木材データベースＤｐには、上述した木材レコードＲｆのうちの少なくとも一部の情報フィールドの内容が、コピーされるなどによって、記憶（蓄積）される（図１参照）。
【００３８】
より詳細には、本実施形態の提供者は３タイプに分類される。具体的には、提供木質バイオマスＦの含水率を提供木材データベースＤｆに登録しない提供者（タイプＣ）と、測定含水情報Ｈｍ（後述）を１回だけ提供木材データベースＤｆに登録する者（タイプＢ）と、提供木材データベースＤｆに対応づけて登録された保管情報Ｓの下で、提供木質バイオマスＦの含水率を定期的など相互に時間をおいて複数回測定した測定結果（含水推移情報Ｈｔ）を登録する者（タイプＡ）の３タイプである。そして、このうちの少なくとも提供者タイプＡが提供木材データベースＤｆに登録する情報のうち、少なくとも木材情報Ｂ、保管情報Ｓおよび含水推移情報Ｈｔが参照木材データベースＤｐに記憶（蓄積）される。幾つかの実施形態では、上述したシステム利用費が提供者タイプＡ、Ｂ、Ｃの順で高くなるように設定することにより、提供者タイプＡとなる提供者の増加を図っても良い。なお、参照木材データベースＤｐへの記憶（蓄積）は、提供木材データベースＤｆに一旦登録されたものをコピーする形でも良いし、提供木材データベースＤｆと参照木材データベースＤｐに並列的に登録する形でも良い。
【００３９】
なお、図１に示す実施形態では、提供木材データベースＤｆおよび参照木材データベースＤｐは流通支援装置１が備える記憶装置に記憶されている。ただし、本実施形態に本発明は限定されず、他の幾つかの実施形態では、これらのデータベースの少なくとも一方が、流通支援装置１と通信可能に接続された他のコンピュータ装置やファイル装置に記憶されていても良い。
【００４０】
推定対象情報取得部２１は、含水情報Ｈの推定対象となる提供木質バイオマスＦの木材情報Ｂおよび保管情報Ｓを取得する。例えば、推定対象情報取得部２１は、検索画面（図３参照）で入力された検索条件Ｑ（木材検索条件Ｑｆ）で提供木材データベースＤｆを検索することによって抽出される１以上の木材レコードＲｆの各々から、木材情報Ｂおよび保管情報Ｓをそれぞれ取得する。また、例えば、図１に示すようなディスプレイなどの表示装置に表示された地図情報Ｍから木材情報Ｂおよび保管情報Ｓを取得しても良い。より詳細には、地図情報Ｍに保管場所Ｓｐがマッピングされて表示された状態で（図１参照）、クリック操作などによって被提供者などに保管場所Ｓｐ（例えば図１の黒丸）が選択されると、推定対象情報取得部２１はその選択された保管場所Ｓｐの情報を木材検索条件Ｑｆとして提供木材データベースＤｆを検索して、選択された保管場所Ｓｐに保管されている提供木質バイオマスＦの木材情報Ｂおよび保管場所Ｓｐを取得しても良い。上記のマッピングは、提供木材データベースＤｆに格納された木材レコードＲｆの全てに対して行われていても良い。上記の検索画面で検索された木材レコードＲｆに対して行われていても良く、この場合には、検索された木材レコードＲｆのうちの選択された保管場所Ｓｐに格納されている提供木質バイオマスＦが推定対象となる。また、マッピングする際に、後述する被提供者の指定する運搬先Ｔｄを中心とし、予め被提供者が定めた運搬距離の上限値を半径とした円を描き、その円内の保管場所Ｓｐのみ表示、または色を変えるなど行っても良い。これにより、希望する調達範囲の木材情報Ｂを被提供者が一目で把握することが可能となる。なお、検索条件Ｑを保存可能に構成すれば、後に再利用が可能となるので、所望の提供木質バイオマスＦの検索を容易に行うことが可能となる。
【００４１】
上述した検索画面においては、幾つかの実施形態では、図３に示すように、所望の含水情報Ｈの要求値である要求含水情報（図３の要求含水率）を指定可能とすることにより、この要求含水情報を用いた提供木材データベースＤｆの検索を可能としても良い。この場合には、推定対象情報取得部２１は、検索画面で入力された要求含水情報を含む要求木材情報（木材検索条件Ｑｆ）を取得すると共に、取得した要求木材情報で提供木材データベースＤｆを検索することによって、木材情報Ｂおよび保管情報Ｓを取得する。より具体的には、木材レコードＲｆは、最新の含水情報Ｈ（測定値または推定値）を記憶する情報フィールドを有しており、この情報フィールドと要求含水情報とを比較することにより、要求含水情報を満たすレコードを取得する。これによって、被提供者は、所望の含水情報Ｈを有する提供木質バイオマスＦの情報を容易に得ることが可能となる。図３に示す実施形態では、検索画面には、購入量（購入希望量）、要求含水率、購入予算、分割発注の有無を指定する購入情報欄と、納期、運搬先Ｔｄ（住所）、運搬距離の上限値を指定するための運送情報欄と、被提供者側の木質バイオマス利用プラントが対応可能な燃料種類Ｂｔ、原料由来Ｂｄ、樹種Ｂｋ、要求燃焼性能を指定する燃料詳細情報欄とが設けられている。上記の分割発注の有無は、購入量を入手するために、複数の提供者に分割して発注しても良いか否かを指定するもので、本実施形態では、購入希望量を可能な限り満足させるような組合せの提示も可能となっている。
【００４２】
参照含水推移取得部２２は、推定対象情報取得部２１が取得した上述した提供木質バイオマスＦの木材情報Ｂおよび保管情報Ｓと参照木材データベースＤｐに格納されている木材情報Ｂおよび保管情報Ｓとの比較に基づいて、参照木材データベースＤｐに格納されている含水推移情報Ｈｔを、参照含水推移情報Ｈｒとして参照木材データベースＤｐから取得する。例えば、木材情報Ｂおよび保管情報Ｓの各々は１以上の情報（上記の情報フィールドの情報に対応）により構成されるが（図４参照）、提供木質バイオマスＦの木材情報Ｂおよび保管情報Ｓの各々に含まれる少なくとも一部の情報と一致する参照木質バイオマスＦｒの含水推移情報Ｈｔを、参照含水推移情報Ｈｒとして参照木材データベースＤｐから取得しても良い。より具体的には、参照含水推移取得部２２は、上述したような木材検索条件Ｑｆで取得された木材情報Ｂの少なくとも一部の情報および保管情報Ｓの少なくとも一部の情報を検索条件（過去検索条件Ｑｐ）として参照木材データベースＤｐを検索し、過去検索条件Ｑｐに該当する木材情報Ｂおよび保管情報Ｓを有する過去レコードＲｐが有する含水推移情報Ｈｔを取得する。
【００４３】
また、例えば、提供木質バイオマスＦと参照木質バイオマスＦｒ（過去レコードＲｐ）との総合的な類似度を、複数種類の情報をそれぞれ含む木材情報Ｂの少なくとも一部の情報および保管情報Ｓの少なくとも一部の情報（さらに、後述する環境情報Ｗを含んでも良い）に基づいて総合的に算出し、類似度が高い、あるいは所定の値を超えた参照木質バイオマスＦｒの含水推移情報Ｈｔを取得しても良い。すなわち、参照含水推移取得部２２は、提供木質バイオマスＦの木材情報Ｂおよび保管情報Ｓなどと、参照木材データベースＤｐに格納されている木材情報Ｂおよび保管情報Ｓなどとの類似度を参照木材データベースＤｐで管理される過去レコードＲｐ毎に求め、類似度に基づいて、参照木材データベースＤｐに格納されている含水推移情報Ｈｔを参照含水推移情報Ｈｒとして取得する。より具体的には、木材情報Ｂおよび保管情報Ｓで特徴づけられる提供木質バイオマスＦおよび複数の参照木質バイオマスＦｒ（過去レコードＲｐ）を含めた集合に対して、木材情報Ｂおよび保管情報Ｓの各々の少なくとも一部の情報を対象に例えばクラスター分析など既知の手法による分析を実行し、提供木質バイオマスＦと同じクラスターに属する１以上の参照木質バイオマスＦｒの含水推移情報Ｈｔを取得しても良い。また、動的計画法によるマッチングや機械学習（深層機械学習）などの類似度を算出可能な既知の手法を用いて、例えば類似度の高い上位数個の含水推移情報Ｈｔや、あるいは、最も類似度の高い含水推移情報Ｈｔを参照含水推移情報Ｈｒとして取得しても良い。
【００４４】
この際、該当する過去レコードＲｐは１以上であるので、参照含水推移情報Ｈｒは少なくとも１つの過去の含水推移情報Ｈｔで構成される。換言すれば、木材情報Ｂおよび保管情報Ｓが一致（同一または類似）することによって、推定対象の提供木質バイオマスＦと含水情報Ｈの時間的な推移が類似すると予測される参照木質バイオマスＦｒの含水推移情報Ｈｔを参照木材データベースＤｐから取得する。また、図１に示すように、参照含水推移取得部２２は、推定対象情報取得部２１および参照木材データベースＤｐに接続されており、推定対象情報取得部２１から入力される木材情報Ｂおよび保管情報Ｓを含む検索条件を参照木材データベースＤｐに送信すると共に、その検索結果として参照木材データベースＤｐから少なくとも含水推移情報Ｈｔに関する情報フィールドの内容を受信する。
【００４５】
含水情報推定部２３は、参照含水推移取得部２２によって取得された参照含水推移情報Ｈｒに基づいて、推定対象時刻ｔｅにおける提供木質バイオマスＦの含水情報Ｈの推定結果（推定値）である推定含水情報Ｅを算出する。つまり、含水情報Ｈの推定は、木材情報Ｂおよび保管情報Ｓが類似していれば、時間の経過に従って、参照木質バイオマスＦｒの含水推移情報Ｈｔと同様に推移するとの仮定の下で行う。詳細については後述する。なお、推定対象時刻ｔｅは、被提供者が検索したタイミングなどの推定を実行する時刻（現在時刻）であっても良いし、検索画面（図３）などに推定した時刻を入力する欄（不図示）を設けてその欄で入力された時刻であっても良い。また、含水情報推定部２３は、算出した推定含水情報Ｅを木材レコードＲｆが有する所定の情報フィールドに記憶することで、推定含水情報Ｅを提供木材データベースＤｆに記憶させても良い。これにより、要求含水情報を用いた提供木材データベースＤｆの検索において、測定値だけでなく推定値も対象に含めた検索が可能となる。
【００４６】
出力情報生成部３１は、提供木質バイオマスＦの木材情報Ｂと、推定対象時刻ｔｅにおける推定含水情報Ｅと、を含む出力情報Ｉｏを生成する。図１に示す実施形態では、出力情報生成部３１は、含水情報推定部２３および推定対象情報取得部２１にそれぞれ接続されている。そして、含水情報推定部２３から推定含水情報Ｅを受信し、推定対象情報取得部２１から木材情報Ｂを含む検索条件Ｑによって抽出された提供木材データベースＤｆの情報（木材レコードＲｆ）を受信し、出力情報Ｉｏを生成するようになっている。また、出力情報生成部３１は、出力部３２に接続されており、出力情報Ｉｏを出力部に送信する。
【００４７】
出力部３２は、出力情報生成部３１が生成した出力情報Ｉｏを出力する。図１に示す実施形態では、出力部３２は、流通支援装置１に接続されたディスプレイなどの表示装置に出力情報Ｉｏを出力することによって、図１のポップアップ画面Ｍｐに出力情報Ｉｏを表示するようになっている。図１に示す実施形態では、このポップアップ画面Ｍｐには、出力情報Ｉｏに含まれることによって、木材情報Ｂや、その推定含水情報Ｅ、保管量、単価（千円／ｔ）、および運搬費用に関する情報など、推定含水情報Ｅを含めた提供木質バイオマスＦの選択、購入の判断材料となる情報が提示される。また、流通支援装置１は、発注機能を備えることで、発注ボタンをクリック操作することにより発注処理が行わるようになっている。ただし、本実施形態の提示方法に本発明は限定されない。他の幾つかの実施形態では、出力情報Ｉｏが、地図情報Ｍ上ではなく、一覧としてリスト表示されても良い。また、出力部３２は、流通支援装置１に接続された表示装置に限らず、プリンタや、通信装置などに出力情報Ｉｏを出力しても良い。
【００４８】
上述した流通支援装置１が行う含水情報Ｈの推定ロジックについて、図５〜図６を用いて説明する。図５は、本発明の一実施形態に係る推定含水情報Ｅの推定ロジックを示す図であり、提供木材データベースＤｆに提供木質バイオマスＦの測定含水情報Ｈｍが登録されている場合を示す。また、図６は、本発明の一実施形態に係る推定含水情報Ｅの推定ロジックを示す図であり、提供木材データベースＤｆに提供木質バイオマスＦの測定含水情報Ｈｍが登録されていない場合を示す。
上記の含水情報Ｈの推定ロジックを図５〜図６のフローに従って説明する。
【００４９】
図５〜図６のステップＳ０において、提供者などによって、提供木質バイオマスＦの情報が提供木材データベースＤｆに予め登録される。例えば、提供者は、インターネットなどの通信ネットワーク（不図示）を介して登録画面（図２Ａ参照）にアクセスし、登録画面上で必要な情報を入力した後、登録ボタン（図２ＡのＤＢ登録）をクリックすることにより、提供木質バイオマスＦの情報の登録が行われても良い。同様に、更新画面（図２Ｂ参照）にアクセスし、更新画面上で、上述した木材識別番号を指定（入力）することにより更新しようとする提供木質バイオマスＦの情報を特定しつつ、更新する内容を入力した後、更新ボタン（図２ＢのＤＢ更新）をクリックすることにより、提供木質バイオマスＦの情報の更新登録が行われても良い。本ステップは、例えば、任意の提供者が新たな提供木質バイオマスＦを入手した時や、提供者タイプＡが新たな含水情報Ｈの測定結果を登録または更新する時など、提供木質バイオマスＦの情報を登録（更新）する必要性が生じた際に、提供者などによって適宜行われる。
【００５０】
その後、被提供者などの要求（検索要求）を契機に、以降のステップＳ１〜Ｓ７が行われる。ただし、本実施形態に本発明は限定されない。流通支援装置１は、例えばステップＳ１〜Ｓ７を定期的に行っても良く、木材レコードＲｆの推定含水情報Ｅを記憶するための情報フィールドが、算出された推定含水情報Ｅによって更新されても良い。よりレスポンスの良い推定含水情報Ｅの提示が可能となる。
【００５１】
ステップＳ１において、被提供者などによる木材検索条件Ｑｆの入力などに応じて、含水情報Ｈの推定対象である提供木質バイオマスＦの情報を提供木材データベースＤｆから取得する（推定対象情報取得部２１）。そして、ステップＳ２において、ステップＳ１で取得した推定対象の提供木質バイオマスＦに関する木材情報Ｂ（燃料種類Ｂｔ、樹種Ｂｋ）および保管情報Ｓを含む過去検索条件Ｑｐで参照木材データベースＤｐを検索する。この検索の結果により、ステップＳ３において参照含水推移情報Ｈｒが取得される（参照含水推移取得部２２）。また、ステップＳ４〜Ｓ６において、推定対象時刻ｔｅにおける推定含水情報Ｅの算出（推定）を、ステップＳ３で取得した参照含水推移情報Ｈｒに基づいて行う（含水情報推定部２３）。
【００５２】
なお、後述するが、図５〜図６に示すように、上記の参照木材データベースＤｐを検索する過去検索条件Ｑｐには、保管場所Ｓｐにおける過去の環境情報（後述する過去環境情報Ｗｐ）を含めても良い（ステップＳ２ａ参照）。また、含水率（含水情報Ｈの値）の低下速度Ｖの算出を通して、推定を行っても良い（ステップＳ４参照）。また、図５〜図６に示す実施形態では、ステップＳ７において、推定含水情報Ｅを換算することにより、低位発熱量の推定値（推定低位発熱量）を算出し、その算出結果により、提供木材データベースＤｆの推定低位発熱量および推定含水情報Ｅをそれぞれ記憶するための情報フィールドの情報登録、情報更新を行うよう構成されている。
【００５３】
上述した図５〜図６に示す含水情報Ｈの推定ロジックの実行により更新される含水情報Ｈの推移を、図７〜図９を用いて具体的に説明する。図７〜図９は、本発明の一実施形態に係る提供木材データベースＤｆに登録された含水情報Ｈ（測定含水情報Ｈｍ）および推定含水情報Ｅの推移を示す図であり、図７は提供者タイプＡ（複数の測定含水情報Ｈｍを登録）の場合、図８は提供者タイプＢ（１つの測定含水情報Ｈｍを登録）の場合、図９は提供者タイプＣ（測定含水情報を登録しない）の場合をそれぞれ示す。
【００５４】
なお、図７〜図９には、提供者の１つである○○木材販売会社が提供（販売）する提供木質バイオマスＦの情報が例示されているが、図示された上段の列は、提供木材データベースＤｆの登録内容の推移を示す。一方、下段の列は、この提供者の担当者などによって行われる提供木材データベースＤｆへの提供木質バイオマスＦの情報の複数回の登録作業の各々の内容、および含水率（含水情報Ｈ）の推定結果を示す。この際、説明の簡単化のために、登録される燃料の木材情報Ｂは同じであるものとする。また、下記の説明における木材重量は水分を含む提供木質バイオマスＦの総重量である。他方、燃料重量は、この木材重量から水分を除いた重量であり、木材重量×（１−含水率）の算出式で算出している。
【００５５】
図７〜図９に示す実施形態では、時刻ｔ０において、提供木材データベースＤｆには○○木材販売会社が提供する提供木質バイオマスＦの登録（ＤＢ登録）はない。その後の任意の時刻（１１／１０）に、上述したステップＳ０（１ｓｔ）の実行によって提供者が第１提供木質バイオマスＦａの情報を入力した結果、時刻ｔ１では、第１提供木質バイオマスＦａの情報がＤＢ登録されている。換言すれば、第１提供木質バイオマスＦａに関する木材レコードＲｆが提供木材データベースＤｆに追加（作成）されている。より具体的には、図７〜図８は、提供者タイプＡ〜Ｂの場合に対応しており、提供者が、第１提供木質バイオマスＦａについて初回の測定含水情報Ｈｍを３０％、木材重量１４ｔで入力した結果、時刻ｔ１における第１提供木質バイオマスＦａの情報は、含水率は３０％、燃料重量は１０ｔ（≒１４ｔ×｛１−０．３｝）でＤＢ登録されている。他方、図９は、測定含水情報Ｈｍを登録しない提供者タイプＣの場合に対応しており、第１提供木質バイオマスＦａについて木材重量が１４ｔで入力した結果、時刻ｔ１における第１提供木質バイオマスＦａの情報は、含水率（推定値）は３０％、燃料重量は１０ｔでＤＢ登録されている。
【００５６】
その翌日（１１／１１：時刻ｔ１〜時刻ｔ２の間）、２回目のステップＳ０（２ｎｄ）の実行によって、提供者が第２提供木質バイオマスＦｂの情報を入力した結果、時刻ｔ２では、第１提供木質バイオマスＦａの情報と共に、第２提供木質バイオマスＦｂの情報もＤＢ登録されている。より具体的には、提供者タイプＡおよびＢの場合（図７〜図８）、提供者が、第２提供木質バイオマスＦｂについて測定含水情報Ｈｍ（初回）を２０％、木材重量を６ｔで入力した結果、時刻ｔ２における第２提供木質バイオマスＦｂの情報は、含水率は２０％、燃料重量は５ｔ（≒６ｔ×｛１−０．２｝）でＤＢ登録されている。提供者タイプＣの場合（図９）は、第２提供木質バイオマスＦｂについて木材重量が６ｔで入力した結果（含水率の入力なし）、時刻ｔ２における第２提供木質バイオマスＦｂの情報は、含水率（推定値）は２０％、燃料重量は５ｔでＤＢ登録されている。他方、第１提供木質バイオマスＦａの含水率は、提供者タイプＢおよびＣでは推定値で更新された結果、時刻ｔ２では、含水率（推定値）は２７％（３％減）、燃料重量は１０ｔでＤＢ登録されている。
【００５７】
さらに、その翌日（１１／１２：時刻ｔ２〜時刻ｔ３の間）、３回目のステップＳ０（３ｒｄ）の実行によって、提供者が第３提供木質バイオマスＦｃの情報を入力した結果、第３提供木質バイオマスＦｃについて含水率が２４％、木材重量が６．５ｔでＤＢ登録されている（提供者タイプＣは上記と同様に推定値）。よって、第３提供木質バイオマスＦｃについては、含水率は２４％、燃料重量は５ｔ（≒６．５ｔ×｛１−０．２４｝）でＤＢ登録されることになるが、この際、第１提供木質バイオマスＦａの含水率は、測定値の更新（図７）あるいは推定値の更新（図８〜図９）により２４％であり、第３提供木質バイオマスＦｃの含水率と同じとなっている。このため、本実施形態では、第１提供木質バイオマスＦａの情報と第３提供木質バイオマスＦｃの情報が統合されることで、統合後の提供木質バイオマスＦ（Ｆａｃ）の情報は、時刻ｔ３において含水率は２４％、燃料重量は１５ｔとなっている。他方、第２提供木質バイオマスＦｂの情報は含水率の推定値が更新された結果、時刻ｔ３では、含水率（推定値）は１８％（２％減）、燃料重量は５ｔでＤＢ登録されている。このように、木材情報Ｂおよび含水情報Ｈが同じ提供木質バイオマスを統合することによりまとめて管理することで、同等（同質）の燃料の総ストック量が明確になり、被提供者の要求量に広く対応することが可能となる。
【００５８】
そして、さらにその翌日（１１／１３）に提供者などによって４回目のステップＳ０（４ｔｈ）が実行されることにより、第４提供木質バイオマスＦｄの情報（含水率１０％、木材重量１０ｔ）が入力される。これに対応する図示は省略するが、上述したのと同様にＤＢ登録されると共に、既に登録されている提供木質バイオマスＦについて含水率の更新などが行われることになる。なお、上述した実施形態では、提供者タイプＡ（含水率を複数回測定）は、含水率の測定値のみを管理していたが、複数回の測定値間において、推定値を算出して管理しても良い。また、提供木材データベースＤｆに記憶する重量情報として、燃料重量を用いた例を示したが、提供者の入力する木材重量を重量情報としてそのまま用いても良い。
【００５９】
例えば木質バイオマスに含まれる水分量が多い場合、木材全体のうち燃料として機能する部分の割合は相対的に小さくなるなど、木質バイオマスに含まれる水分量は、発熱量・着火性・燃焼性など燃料としての燃焼能力に大きな影響を与えるが、保管方法や保管日数などによって時々刻々と変化するといった性質を有する。
上記の構成によれば、流通支援装置１は、被提供者に対して提供（例えば木質バイオマスの購入者に販売）するために提供木材データベースＤｆに記憶（蓄積）されている提供木質バイオマスＦの含水情報Ｈ（例えば含水率）を、参照木材データベースＤｐを用いて推定する。これによって、保管方法や保管日数などによって時々刻々と変化する木質バイオマスの含水情報Ｈを、木質バイオマスの被提供者などが適時把握することを可能にすることができる。このように、含水情報Ｈを適時把握することが可能になることで、木質バイオマス利用プラントを安定・効率的に運転するために重要な因子である燃料の燃焼能力や量を把握することも可能となる。さらに、燃料費は一般的に木質バイオマス利用プラントの運営コストの大部分を占めるため、プラントを運営する被提供者にとって、木質バイオマスの燃料としての価値を適切に見極めた上での調達が可能となり、プラント運営の安定化という多大なる効果を奏する。
【００６０】
また、提供木材データベースＤｆに記憶されている提供木質バイオマスＦの情報を例えば被提供者の要求に応じてディスプレイなどに表示出力する際は、推定含水情報Ｅも出力することで、被提供者に対して含水情報Ｈを提示するよう構成される。よって、被提供者は、流通支援装置１の出力情報を確認することによって、所望の含水率を有する木質バイオマスの提供を受けることが可能であるか否かを迅速に知ることができるようになり、含水率に基づく木質バイオマスの選択を可能とすることができる。このため、熱需要増に伴う急な調達が必要となった場合においても、流通支援装置１の出力情報を確認することで、適切な木質バイオマスの調達を容易に行うことができる。また、木質バイオマスの提供者は提供木材データベースＤｆに自己の提供木質バイオマス燃料の情報を登録することにより、含水情報Ｈも含めた木材情報Ｂが被提供者に提示されるようになるので、これまで提供実績のない被提供者への提供の可能性を高めることができる。したがって、木質バイオマスの流通の促進を図ることができる。
【００６１】
幾つかの実施形態では、図２Ａに示すように、木材情報Ｂは、さらに、提供木質バイオマスＦの入手場所を含む。図２Ａに示す実施形態の登録画面では、入手場所として伐採地などの住所の入力が可能となっている。
上記の構成によれば、提供木質バイオマスＦの伐採地など入手場所がさらに類似した提供木質バイオマスＦを参照可能となる。木質バイオマスは同じ樹種Ｂｋでも生育地域ごとに比重が異なるなど、性質に地域差があるため、より性質の近い木質バイオマスを参照することで、より精度の高い含水情報Ｈの推定が可能となる。
【００６２】
次に、推定含水情報Ｅの算出（推定）方法について、より具体的に説明する。
幾つかの実施形態では、図５〜図６に示すように、含水情報推定部２３は、低下速度算出部２４（ステップＳ４）と、起点含水情報取得部２５（ステップＳ５）と、推定実行部２６（ステップＳ６）と、を有し、後述するように、起点含水情報Ｈｏから含水情報Ｈが低下速度Ｖで低下するものとして、推定対象時刻ｔｅにおける推定含水情報Ｅを算出する。なお、含水率は環境によっては上昇する場合も想定されることから、低下速度Ｖはマイナス値となっても良い。上記の機能部の各々について説明する。
【００６３】
低下速度算出部２４は、参照含水推移取得部２２によって取得された参照含水推移情報Ｈｒに基づいて含水情報Ｈの値の低下速度Ｖを算出する機能部であり、図５〜図６のステップＳ４の処理を実行する。幾つかの実施形態では、低下速度算出部２４は、上述した参照含水推移情報Ｈｒに対して回帰分析を行うことにより、含水情報Ｈの推定対象である提供木質バイオマスＦの含水推移情報Ｈｔの予測となる回帰線を求めると共に、求めた回帰線の変化率（傾き）を低下速度Ｖとして算出しても良い。上述したように、参照含水推移情報Ｈｒは、含水情報Ｈの推定対象である提供木質バイオマスＦに含水推移情報Ｈｔが類似すると予想される１以上の参照木質バイオマスＦｒの含水推移情報Ｈｔ（過去データ）で構成されている。そこで、例えば横軸を時間軸、縦軸に含水率の測定値を取ったグラフに参照含水推移情報Ｈｒをプロットした際に、求めようとする回帰線と各プロット点との誤差が最小となるように、回帰線を決定する（最小二乗法）。他の幾つかの実施形態では、低下速度算出部２４は、複数の参照含水推移情報Ｈｒの各々における低下速度Ｖの平均、最頻値といった統計値を、求めるべき低下速度Ｖとして算出しても良い。その他の幾つかの実施形態では、上述した類似度が最も高いものとして参照木材データベースＤｐから１の含水推移情報Ｈｔ（参照含水推移情報Ｈｒ）を取得した場合には、その１の含水推移情報Ｈｔの統計値を算出するなど、その含水推移情報Ｈｔに基づいて上記の低下速度Ｖを算出しても良い。
【００６４】
起点含水情報取得部２５は、推定対象時刻ｔｅよりも所定時間だけ前の推定起点時刻ｔｏにおける含水情報Ｈである起点含水情報Ｈｏを取得する機能部であり、図５〜図６のステップＳ５の処理を実行する。幾つかの実施形態では、図５に示すように、起点含水情報取得部２５は、提供木材データベースＤｆから起点含水情報Ｈｏを取得しても良い。他の幾つかの実施形態では、図６に示すように、起点含水情報取得部２５は、推定により起点含水情報Ｈｏを取得しても良い。これらの詳細については、後述する。
【００６５】
また、推定実行部２６は、起点含水情報Ｈｏと低下速度Ｖとに基づいて、推定対象時刻ｔｅにおける推定含水情報Ｅを算出する機能部であり、図５〜図６のステップＳ６の処理を実行する。具体的には、起点含水情報Ｈｏの推定起点時刻ｔｏから、含水情報Ｈの値が低下速度Ｖで低下すると仮定して計算する。例えば、低下速度Ｖが単位時間当たりの含水率の低下割合（％／時間）とすると、推定起点時刻ｔｏから任意の時間ｘが経過した後の含水率は、Ｈｏ（１−Ｖ×ｘ）で算出できる。よって、推定実行部２６は、推定対象時刻ｔｅを推定起点時刻ｔｏから時間ｘだけ経過した時として、推定含水情報Ｅ＝Ｈｏ（１−Ｖ×ｘ）の計算式を算出する。
【００６６】
上記の構成によれば、提供木質バイオマスＦの木材情報Ｂおよび保管情報Ｓに基づいて参照木材データベースＤｐから取得された参照木質バイオマスＦｒの参照含水推移情報Ｈｒを対象に、例えば回帰分析を行うことにより低下速度Ｖを算出する。また、例えば測定または推定などにより得られる起点含水情報Ｈｏから含水情報Ｈの値（含水率など）が低下速度Ｖで低下するものとして、推定対象時刻ｔｅにおける推定含水情報Ｅを算出する。このように参照含水推移情報Ｈｒを用いることで、推定含水情報Ｅを算出することがきる。
【００６７】
上述したように、幾つかの実施形態では、図５に示すように、起点含水情報取得部２５は、提供木材データベースＤｆから起点含水情報Ｈｏを取得する。図５に示す実施形態では、提供木材データベースＤｆは、測定された提供木質バイオマスＦの含水情報Ｈである測定含水情報Ｈｍをさらに記憶している。つまり、木材レコードＲｆは、測定含水情報Ｈｍおよびその測定時刻ｔｍを記憶するための情報フィールドを有している。これらの情報フィールドには、測定含水情報Ｈｍを登録することになっている提供者（タイプＡ、Ｂ）などによって情報が事前に登録されている。そして、起点含水情報取得部２５は、提供木材データベースＤｆから取得される最新の測定含水情報Ｈｍを上記の起点含水情報Ｈｏとし、測定時刻ｔｍを推定起点時刻ｔｏとする。
【００６８】
上記の構成によれば、起点含水情報Ｈｏは、その推定時よりも前に測定された測定含水情報Ｈｍであり、推定含水情報Ｅは、測定含水情報Ｈｍから低下速度Ｖで含水情報Ｈの値が低下するものとして算出される。このように測定値を起点に推定対象時刻ｔｅにおける推定含水情報Ｅを算出することにより、推定精度を高めることができる。
【００６９】
他の幾つかの実施形態では、図６に示すように、起点含水情報取得部２５は、推定により起点含水情報Ｈｏを取得する。詳述すると、木材情報Ｂは、さらに、燃料種類Ｂｔに応じて加工される提供木質バイオマスＦの原料の由来に関する情報である原料由来Ｂｄを含んでいる（図４（Ａ）参照）。つまり、木材レコードＲｆは、原料由来Ｂｄを記憶するための情報フィールドを有しており、提供者などによって原料由来Ｂｄが登録される。よって、参照含水推移取得部２２は、木材検索条件Ｑｆに原料由来Ｂｄを加えることにより、原料由来Ｂｄを含む木材情報Ｂ、保管情報Ｓが一致（同一または類似）する含水推移情報Ｈｔを参照木材データベースＤｐから取得する。また、流通支援装置１は、図６に示すように、参照含水推移情報Ｈｒが有する含水情報Ｈの最初の測定値に基づいて、推定対象の提供木質バイオマスＦの推定起点時刻ｔｏにおける含水情報Ｈの推定値である推定起点含水情報Ｅｏを算出する起点含水情報推定部２７を、さらに備える。そして、上述した起点含水情報取得部２５は、起点含水情報推定部２７が算出した推定起点含水情報Ｅｏを起点含水情報Ｈｏとして取得する。例えば、起点含水情報推定部２７は、参照含水推移情報Ｈｒを構成する１以上の含水推移情報Ｈｔ（過去データ）における最初の測定値の平均値を算出したり、最頻値を求めたりするなど、統計値を算出することにより推定起点含水情報Ｅｏを算出する。
【００７０】
図６に示す実施形態では、起点含水情報Ｈｏに対応する時刻は、登録画面（図２Ａ参照）の入手日時になっている。なお、推定起点含水情報Ｅｏおよびその対応時刻（入手日時）の記憶先は、木材レコードＲｆが有する、測定含水情報Ｈｍおよびその測定時刻ｔｍを記憶するための情報フィールドであっても良く、この場合には記憶されている情報が測定値か推定値かを示す必要がある場合にはそのためのフラグを記憶する情報フィールドを設けても良い。あるいは、これらの情報を記憶するための専用の情報フィールドを設けて記憶しても良い。また、起点含水情報推定部２７による算出は、提供木質バイオマスＦの情報が提供木材データベースＤｆに登録される際に、測定含水情報Ｈｍの情報がない場合に実行されるようになっている。よって、図６に示すように、その後（２回目以降）に含水情報Ｈを推定値で更新する場合には、提供木材データベースＤｆに記憶された前回の起点含水情報Ｈｏおよび対応時刻と、ステップＳ４で算出された低下速度Ｖとに基づいて、推定含水情報Ｅを算出するようになっている。
【００７１】
上記の構成によれば、低下速度Ｖを用いて推定含水情報Ｅを算出するのに用いられる起点含水情報Ｈｏは、例えば提供木質バイオマスＦなどを入手した時における含水情報Ｈの推定値や、あるいは、参照木材データベースＤｐに記憶された前回などの推定値である。つまり、推定含水情報Ｅの算出は、参照木材データベースＤｐから、提供木質バイオマスＦの原料由来Ｂｄを含む木材情報Ｂおよび保管情報Ｓに基づいて参照木材データベースＤｐから取得された参照含水推移情報Ｈｒに基づいて行う。このように、原料由来Ｂｄを加味して参照含水推移情報Ｈｒを取得することにより、含水情報Ｈの測定値がない場合（提供者タイプＣ）であっても、提供木質バイオマスＦの含水情報Ｈの推定を適切に行うことができる。
【００７２】
次に、参照含水推移取得部２２に関する幾つかの実施形態について、説明する。
幾つかの実施形態では、参照含水推移取得部２２は、さらに、提供木質バイオマスＦが保管される保管場所Ｓｐにおける、湿度、気温、天気など含水率に影響を与える環境要因である環境情報Ｗ（環境変動情報）であって、過去の環境情報（以下、過去環境情報Ｗｐという）を考慮して、参照含水推移情報Ｈｒを取得する。詳述すると、図５〜図６に示すように、流通支援装置１は、提供木質バイオマスＦが保管されている保管場所Ｓｐにおける過去環境情報Ｗｐを記憶する環境データベースＤｗと、推定対象の提供木質バイオマスＦの保管場所Ｓｐにおける推定起点時刻ｔｏから推定対象時刻ｔｅまでの過去環境情報Ｗｐを環境データベースＤｗから取得する過去環境情報取得部２８と、をさらに備える。
【００７３】
つまり、環境データベースＤｗに記憶される各レコード（以下、適宜、過去環境レコードＲｗ）は、保管場所Ｓｐと、時刻情報と、その時刻情報における環境情報Ｗとをそれぞれ記憶するための情報フィールドを少なくとも有する（図４（Ｃ）参照）。また、過去環境情報取得部２８は、保管場所Ｓｐと、推定起点時刻ｔｏ、および推定対象時刻ｔｅを検索条件として環境データベースＤｗを検索することにより、保管場所Ｓｐが一致（同一または類似）し、かつ、推定起点時刻ｔｏから推定対象時刻ｔｅまでの範囲にある時刻情報を有する過去環境レコードＲｗを抽出し、抽出された過去環境レコードＲｗの各々から時刻情報および環境情報Ｗを取得したものを過去環境情報Ｗｐとして取得する。図５に示す実施形態では、推定対象時刻ｔｅを現在時刻、推定対象時刻ｔｅから時間的に最も近い時刻の測定含水情報Ｈｍの測定時刻ｔｍを推定起点時刻ｔｏとしている。
【００７４】
また、参照木材データベースＤｐは、さらに、参照木質バイオマスＦｒの含水情報Ｈの測定時の環境情報Ｗを含水推移情報Ｈｔに対応づけて記憶している。つまり、過去レコードＲｐは、測定時刻ｔｍと、その測定時刻ｔｍにおける測定含水情報Ｈｍと、その測定時刻ｔｍにおける環境情報Ｗとのセットを複数回分記憶するための情報フィールドを有しており、１回目（最初）の測定結果、２回目の測定結果、・・・というように記憶される。
【００７５】
そして、参照含水推移取得部２２は、推定対象の提供木質バイオマスＦの木材情報Ｂ、保管情報Ｓ、および過去環境情報取得部２８によって取得された保管場所Ｓｐにおける過去環境情報Ｗｐ（環境情報Ｗ）と、参照木材データベースＤｐに格納されている木材情報Ｂ、保管情報Ｓ、および環境情報Ｗとの比較に基づいて、参照木材データベースＤｐに格納されている参照木質バイオマスＦｒの含水推移情報Ｈｔを参照含水推移情報Ｈｒとして取得する。例えば、参照含水推移取得部２２は、推定対象の提供木質バイオマスＦに対して、木材情報Ｂおよび保管情報Ｓが同一で、かつ、環境情報Ｗあるいは環境情報Ｗの時系列（推移）が同一または類似する過去レコードＲｐの含水推移情報Ｈｔを参照木材データベースＤｐから取得しても良い。例えば、環境情報Ｗが類似する場合とは、両者の違いが、例えば温度では±α％以内、湿度では±β％以内というように所定の範囲以内となっている場合や、温度や湿度などを予め領域分けしておき、両者が同一の領域に有る場合などである。また、例えば、提供木質バイオマスＦと参照木質バイオマスＦｒ（過去レコードＲｐ）との総合的な類似度を、木材情報Ｂ、保管情報Ｓ、および環境情報Ｗあるいは環境情報Ｗの時系列（推移）に基づいて、上述したような類似度を求めることが可能な手法により総合的に算出し、同一クラスターに属する過去レコードＲｐ、最も類似度が高い過去レコードＲｐ、あるいは、類似度が所定の値を超えた各過去レコードＲｐなどから含水推移情報Ｈｔを取得してもよい。そして、こうして取得された過去レコードＲｐの１以上の含水推移情報Ｈｔで参照含水推移情報Ｈｒは構成される。なお、動的計画法では、温度や湿度等の時系列データやそのグラフ化した画像を用いてマッチングを行っても良い。
【００７６】
上記の構成によれば、含水情報Ｈの測定時の環境情報Ｗ（湿度、温度、天気など）は、木質バイオマスの含水率に影響を与えるところ、参照含水推移取得部２２は、過去環境情報Ｗｐをも考慮して、参照木材データベースＤｐから参照含水推移情報Ｈｒを取得する。これによって、提供木質バイオマスＦの含水情報Ｈを推定するのにより適切な含水推移情報Ｈｔを参照木材データベースＤｐから取得できるので、提供木質バイオマスＦの含水情報Ｈの推定精度を高めることができる。
【００７７】
以上、流通支援装置１が、各地に点在する提供木質バイオマスＦの含水情報Ｈを被提供者による提供木質バイオマスＦの購入（選択）の際などに提示する実施形態について説明した。被提供者は、含水情報Ｈを含む提供木質バイオマスＦの情報を確認しつつ、これまでの購入実績の有無などにかかわらず、所望の提供木質バイオマスＦを各地から購入することが可能となる。ところで、購入が決まった提供木質バイオマスＦは、その後、トラックなどの輸送手段に積載されるなどして、保管場所Ｓｐから被提供者が指定する場所（図３の運搬先。以下、運搬先Ｔｄという。）に運搬されることになる（図１参照）。
【００７８】
以下では、保管場所Ｓｐから運搬先Ｔｄに運搬された後の含水情報Ｈを運搬前に推定する実施形態について、図１０を用いて説明する。図１０は、本発明の一実施形態に係る運搬後の提供木質バイオマスＦの含水情報Ｈの推定ロジックを示す図である。
幾つかの実施形態では、図１０に示すように、流通支援装置１は、運搬予定情報取得部４１と、発送時含水情報取得部４２と、環境予測取得部４３と、到着時含水情報推定部４４と、をさらに備えることにより、提供木質バイオマスＦが運搬先に到着した際の含水情報Ｈ（以下、推定到着時含水情報Ｈ１という）を事前に提示する。
上述した機能部の各々について、説明する。
【００７９】
運搬予定情報取得部４１は、運搬対象の提供木質バイオマスＦに関して、その発送予定時刻Ｔｓ、運搬予定経路Ｔｒ、および到着予定時刻Ｔ１を含む運搬予定情報Ｔを取得する。より詳細には、発送予定時刻Ｔｓは、提供木質バイオマスＦを積載した輸送手段（トラックなど）が保管場所Ｓｐから運搬先Ｔｄに向けて出発する予定時刻など、提供木質バイオマスＦが保管場所Ｓｐから発送される予定時刻である。運搬予定経路Ｔｒは、保管場所Ｓｐを出発した輸送手段が通る保管場所Ｓｐから運搬先Ｔｄの間の通過予定の経路である。到着予定時刻Ｔ１は、発送予定時刻Ｔｓに保管場所Ｓｐを出発した輸送手段が、運搬予定経路Ｔｒを経て運搬先Ｔｄへ到着する予定時刻である。なお、運搬予定情報Ｔの決定に際しては、周知のルート検索技術を利用しても良く、保管場所Ｓｐ、運搬先Ｔｄなどをルート検索条件とした周知のルート検索技術で決定しても良い。あるいは、提供者などが、経験や実績に基づいて、発送予定時刻Ｔｓ、運搬予定経路Ｔｒ、到着予定時刻Ｔ１を決めても良い。
【００８０】
そして、上述した運搬予定情報Ｔは購入後（売買契約後）に決定されて、流通支援装置１に入力されるようになっている。図１０に示す実施形態では、上述した提供木材データベースＤｆの木材レコードＲｆは、さらに、発送予定時刻Ｔｓ、運搬予定経路Ｔｒ、到着予定時刻Ｔ１（図１０では納品日）を格納するための情報フィールドと、購入された否かを示す購入フラグを記憶するための情報フィールドとを有しており、これらの情報が購入後に登録されるようになっている。そして、例えば実行ボタン（不図示）がクリックされた場合や、あるいは、運搬予定情報Ｔの登録および購入フラグのオン（購入済み）を流通支援装置１が検知した場合などに、運搬予定情報取得部４１が提供木材データベースＤｆから運搬予定情報Ｔを取得するように構成されていても良い。
【００８１】
発送時含水情報取得部４２は、発送予定時刻Ｔｓにおける運搬対象の提供木質バイオマスＦの含水情報Ｈである発送時含水情報Ｈｓを取得する。幾つかの実施形態では、発送時含水情報Ｈｓは、発送予定時刻Ｔｓにおける含水情報Ｈの推定値であっても良い。図１０に示す実施形態では、既に説明した含水情報Ｈの推定ロジック（図５〜図６）により、発送予定時刻Ｔｓの含水情報Ｈを推定して、発送時含水情報Ｈｓとして提供木材データベースＤｆに登録するようになっている。この推定は、被提供者などによって実行ボタンのクリック操作などによって要求された場合や、運搬予定情報Ｔの登録があり、かつ、購入フラグがオンとなっている木材レコードＲｆを流通支援装置１が検知した場合などに行われても良い。よって、発送時含水情報取得部４２は、提供木材データベースＤｆから発送時含水情報Ｈｓを取得する。ただし、本実施形態に本発明は限定されない。他の幾つかの実施形態では、発送時含水情報Ｈｓは、発送予定時刻Ｔｓにおける含水情報Ｈの測定値であっても良く、この測定値は、発送予定時刻Ｔｓに近い時刻（直前など）のものであるほど、推定精度上望ましい。
【００８２】
環境予測取得部４３は、運搬予定経路Ｔｒにおける発送予定時刻Ｔｓから到着予定時刻Ｔ１までの環境予測情報Ｗｃを取得する。図１０に示す実施形態では、環境予測情報Ｗｃを、環境予測データベースＤｃから取得するようになっている。より詳細には、環境予測取得部４３は、運送予定の提供木質バイオマスＦについての運搬予定情報Ｔを提供木材データベースＤｆから取得すると共に、取得した運搬予定情報Ｔで環境予測データベースＤｃを検索することで、運搬予定情報Ｔに対応した環境予測情報Ｗｃを取得する。
【００８３】
到着時含水情報推定部４４は、発送時含水情報取得部４２によって取得された発送時含水情報Ｈｓおよび環境予測取得部４３によって取得された環境予測情報Ｗｃに基づいて、到着予定時刻Ｔ１における運搬対象の提供木質バイオマスＦの含水情報Ｈの推定値である推定到着時含水情報Ｈ１を算出する。運搬中の環境条件は、木質バイオマスの含水率に影響を与える因子であり、この到着時含水情報推定部４４は、運搬中の環境条件によって変動する提供木質バイオマスＦの含水情報Ｈを環境予測情報Ｗｃに基づいて予測する。詳細は後述する。
【００８４】
そして、上記の到着時含水情報推定部４４が算出した推定到着時含水情報Ｈ１は、既に説明した出力情報生成部３１に入力される。よって、出力情報生成部３１は、推定到着時含水情報Ｈ１を用いて出力情報Ｉｏを生成する。このように、出力情報Ｉｏが推定到着時含水情報Ｈ１を含むことにより、推定到着時含水情報Ｈ１が被提供者などに提示される。
【００８５】
上述した構成を備える流通支援装置１による推定到着時含水情報Ｈ１の推定ロジックを図１０のフローに従って説明する。
図１０のステップＳ１０において、購入が決まった提供木質バイオマスＦに関して、木材レコードＲｆの購入フラグが購入済みを示す情報（オン）に更新されると共に、ステップＳ１１において運搬予定情報Ｔが登録される。ステップＳ１２において、提供木材データベースＤｆに登録されている発送時含水情報Ｈｓを取得する（発送時含水情報取得部４２）。ステップＳ１３において、運搬予定情報Ｔに対応した環境予測情報Ｗｃを環境予測データベースＤｃから取得する（環境予測取得部４３）。具体的には、ステップＳ１３ａにおいて提供木材データベースＤｆから運搬予定情報Ｔを取得し、ステップＳ１３ｂにおいて取得した運搬予定情報Ｔで環境予測データベースＤｃを検索することによって、環境予測情報Ｗｃを取得する。その後、ステップＳ１４において、ステップＳ１２によって取得された発送時含水情報Ｈｓ、および、ステップＳ１３によって取得された環境予測情報Ｗｃに基づいて、推定到着時含水情報Ｈ１を算出する（到着時含水情報推定部４４）。
【００８６】
なお、他の幾つかの実施形態では、発送時含水情報Ｈｓ、環境予測情報Ｗｃに加えて、木材情報Ｂに基づいて、推定到着時含水情報Ｈ１を算出しても良い。具体的には、ステップＳ１２においては、提供木材データベースＤｆから、購入が決まった提供木質バイオマスＦの発送時含水情報Ｈｓと共に木材情報Ｂについても取得し、ステップＳ１４においては、木材情報Ｂ、発送時含水情報Ｈｓ、環境予測情報Ｗｃに基づいて、推定到着時含水情報Ｈ１を算出しても良い。この場合には、後述する運搬実績データベースＤｔ（運搬実績レコードＲｔ）には運搬済木質バイオマスＦｔの木材情報Ｂが含まれていても良い。
【００８７】
上記の構成によれば、運搬予定情報Ｔ（発送予定時刻Ｔｓ、運搬予定経路Ｔｒ、到着予定時刻Ｔ１）を取得することにより、運搬時の環境予測を用いて、到着予定時刻Ｔ１おける含水情報Ｈの推定値（推定到着時含水情報Ｈ１）が推定される。木質バイオマスの含水率は、運搬時の環境（湿度、温度、天気）などの影響を受けて変動する。したがって、被提供者は、推定到着時含水情報Ｈ１によって、購入するなどした運搬対象の提供木質バイオマスＦを実際に受け取る際の含水情報Ｈの推定値を知ることができる。また、木材情報Ｂも含め、推定到着時含水情報Ｈ１を算出することで、樹種Ｂｋ毎の吸湿性なども考慮した精度の高い推定が可能となる。
【００８８】
次に、到着時含水情報推定部４４に関する幾つかの実施形態について、より具体的に説明する。
幾つかの実施形態では、図１０に示すように、流通支援装置１は、運搬実績データベースＤｔと、参照到着時含水情報取得部４５と、をさらに備える。
【００８９】
運搬実績データベースＤｔは、過去に保管場所Ｓｐから運搬先Ｔｄに運搬された運搬済木質バイオマスＦｔについての運搬実績経路Ｐａと、運搬時の運搬実績経路Ｐａにおける環境情報Ｗである運搬時環境実績情報Ｗａと、保管場所Ｓｐから発送された際の含水情報Ｈである発送時実績含水情報Ｈａと、運搬先Ｔｄに到着した際の含水情報Ｈである到着時含水実績情報Ｈｄと、を対応づけて格納する。つまり、上記の運搬実績データベースＤｔは、購入されるなどして、過去に運搬された提供木質バイオマスＦ（以下、運搬済木質バイオマスＦｔという。）についての運搬実績情報Ｐを記憶するデータベースである。運搬実績データベースＤｔに記憶される各レコード（以下、適宜、運搬実績レコードＲｔ）は、運搬実績経路Ｐａと、その運搬実績経路Ｐａにおける運搬時環境実績情報Ｗａと、発送時実績含水情報Ｈａと、到着時含水実績情報Ｈｄと、をそれぞれ記憶するための情報フィールドを少なくとも有する。そして、運搬実績データベースＤｔには、各運搬済木質バイオマスＦｔの運搬実績情報Ｐが運搬実績レコードＲｔに記憶されていく。
【００９０】
ここで、到着時含水実績情報Ｈｄは、幾つかの実施形態では、運搬先Ｔｄに到着した際に提供木質バイオマスＦの含水情報Ｈを測定した測定値であっても良い。他の幾つかの実施形態では、到着時含水実績情報Ｈｄは、運搬先Ｔｄに設置されたボイラ（不図示）における運搬済木質バイオマスＦｔの燃焼時の発熱量から換算される含水情報Ｈであっても良い。上記の発熱量は、例えば、プラントで計測される蒸発量（Ｔ／Ｈ）、蒸気量（ＭＰａ）、蒸気温度（℃）などに基づいて算出することが可能である。これによって、推定到着時含水情報Ｈ１を精度よく予測することが可能となる。
【００９１】
参照到着時含水情報取得部４５は、運搬対象の提供木質バイオマスＦの環境予測情報Ｗｃおよび発送時含水情報Ｈｓと、運搬実績データベースＤｔに格納されている運搬時環境実績情報Ｗａおよび発送時実績含水情報Ｈａとの比較に基づいて、運搬実績データベースＤｔに格納されている運搬済木質バイオマスＦｔの到着時含水実績情報Ｈｄを参照到着時含水情報Ｈｄｒとして取得する。具体的には、例えば、運搬対象の提供木質バイオマスＦの環境予測情報Ｗｃおよび発送時含水情報Ｈｓがそれぞれ一致する運搬時環境実績情報Ｗａおよび発送時実績含水情報Ｈａを有する運搬実績レコードＲｔを運搬実績データベースＤｔの検索により取得し、検索によって取得された運搬実績レコードＲｔの有する到着時含水実績情報Ｈｄを取得する。なお、環境予測情報Ｗｃと、運搬実績レコードＲｔの運搬時環境実績情報Ｗａとが一致するか否かの判定は、両者の違いが例えば温度では±α％以内、湿度では±β％以内などであれば一致すると判定するなど、環境情報Ｗを構成する項目ごとに完全に同一となっていなくても良く、所定の幅を持って判定しても良い。同様に、発送時含水情報Ｈｓについても、発送時実績含水情報Ｈａと完全に同一となっていても良く、所定の幅を持って判定しても良い。
【００９２】
また、例えば、他の幾つかの実施形態では、運搬対象の提供木質バイオマスＦと運搬済木質バイオマスＦｔ（運搬実績レコードＲｔ）との総合的な類似度を、上記の比較指標（環境予測情報Ｗｃおよび発送時含水情報Ｈｓ、運搬時環境実績情報Ｗａおよび発送時実績含水情報Ｈａ）に基づいて、上述したような類似度を求めることが可能な手法により総合的に算出し、同一クラスターに属する運搬実績レコードＲｔ、最も類似度が高い運搬実績レコードＲｔ、あるいは、類似度が所定の値を超えた各運搬実績レコードＲｔなどから到着時含水実績情報Ｈｄを取得しても良い。すなわち、参照到着時含水情報取得部４５は、提供木質バイオマスＦの環境予測情報Ｗｃおよび発送時含水情報Ｈｓと、運搬実績データベースＤｔに格納されている運搬時環境実績情報Ｗａおよび発送時実績含水情報Ｈａとの類似度を運搬実績データベースＤｔで管理される運搬実績レコードＲｔ毎に求め、類似度に基づいて、運搬実績データベースＤｔに格納されている到着時含水実績情報Ｈｄを参照到着時含水情報Ｈｄｒとして取得する。なお、動的計画法では、温度や湿度、また含水推移情報等の時系列データやそのグラフ化した画像を用いたマッチングを行っても良い。
【００９３】
そして、上述した到着時含水情報推定部４４は、参照到着時含水情報Ｈｄｒに基づいて、推定到着時含水情報Ｈ１を算出する。例えば、参照到着時含水情報Ｈｄｒを構成する１以上の到着時含水実績情報Ｈｄの平均値を算出したり、最頻値を求めたりするなど、統計値を算出することにより推定到着時含水情報Ｈ１を算出しても良い。また、それぞれの到着時含水実績情報Ｈｄに紐づく木材情報Ｂなどを含む各種要素全体の類似性を、例えばクラスター分析など既知の手法で判定し、そのうち最も類似する結果となった到着時含水実績情報Ｈｄを推定到着時含水情報Ｈ１としても良い。
【００９４】
上記の構成によれば、運搬対象（運搬予定）の提供木質バイオマスＦの運搬時の環境予測情報Ｗｃおよび発送時含水情報Ｈｓに基づいて、過去に運搬された木質バイオマス（運搬済木質バイオマスＦｔ）に関する実績を格納（蓄積）した運搬実績データベースＤｔから運搬済木質バイオマスＦｔの到着時の含水情報Ｈ（参照到着時含水情報Ｈｄｒ）を取得すると共に、取得した参照到着時含水情報Ｈｄｒに基づいて、運搬対象の提供木質バイオマスＦの到着予定時刻Ｔ１における含水情報Ｈを推定する。これによって、推定到着時含水情報Ｈ１を精度よく予測することができる。
【００９５】
以上、到着予定時刻Ｔ１における含水情報の推定値（推定到着時含水情報Ｈ１）を推定する実施形態について説明した。ここで、運搬先Ｔｄに到着した提供木質バイオマスＦは、一定期間後にボイラなどに供給される場合がある。よって、幾つかの実施形態では、流通支援装置１は、提供木質バイオマスＦが運搬先Ｔｄに到着した後、運搬先Ｔｄで保管される際の含水情報Ｈの推移を推定し、運搬前に提示するようにしても良い。具体的には、幾つかの実施形態では、図１０に示すように（ステップＳ１５）流通支援装置１は、到着予定時刻Ｔ１から所定期間経過後までの提供木質バイオマスＦの含水情報Ｈの推移を予測する予測部４６を、さらに備えている。
【００９６】
より詳細には、この予測は、上述した含水情報Ｈの推定ロジック（図５〜図６）と同様に、含水率の低下速度Ｖを算出することにより、含水情報Ｈの値が到着時含水実績情報Ｈｄを起点に低下速度Ｖで低下するものとして算出しても良い。図１０に示す実施形態では、流通支援装置１は、低下速度Ｖの算出にあたって、運搬先Ｔｄにおける所定期間分の環境予測情報Ｗｃを環境予測データベースＤｃから取得する。また、上述した参照含水推移取得部２２は、運搬先Ｔｄにおける環境予測情報Ｗｃを考慮しつつ、参照木材データベースＤｐから、推定対象の提供木質バイオマスＦの木材情報Ｂおよび運搬先Ｔｄと一致する木材情報Ｂおよび保管情報Ｓを有する過去レコードＲｐの参照木質バイオマスＦｒの含水推移情報Ｈｔを参照含水推移情報Ｈｒとして取得し、得られた参照含水推移情報Ｈｒに基づいて低下速度Ｖを算出する。
【００９７】
この際、図１０に示す実施形態では、推定対象の提供木質バイオマスＦの保管情報Ｓについては、屋外（屋根付き、屋根なし）、倉庫などの屋内（湿度等管理、管理なし）などの想定される保管方法Ｓｍのパターン毎にそれぞれ算出している。そして、保管方法Ｓｍのパターン毎に、到着予定時刻Ｔ１から所定期間までの推定含水情報Ｅを例えば一日経過毎などに示した早見表６を提示するようにしている。また、早見表６を印刷して、運搬予定の提供木質バイオマスＦと一緒に搬送することにより、運搬先Ｔｄにおいて、早見表６を参照することが可能となっている。このため、早見表６を確認することによって、例えば、含水情報Ｈ（推定値）が、倉庫保管の場合には到着予定時刻Ｔ１の１日後はａ１（％）、２日後はａ２％、・・・というように推移し、屋外保管の場合には到着予定時刻Ｔ１の１日後はｂ１（％）、２日後はｂ２％というように推移するなど、保管方法Ｓｍ毎に知ることが可能となる。
【００９８】
ただし、本実施形態に本発明は限定されない。他の幾つかの実施形態では、運搬先Ｔｄにおける保管方法Ｓｍを被提供者から知らされることで、知らされた保管方法Ｓｍ（例えば倉庫保管）に関する推定値を示した早見表６を提示しても良い。また、早見表６に示される情報は、含水情報Ｈから換算可能な低位発熱量（推定値）［ｋｃａｌ／ｋｇ］の情報であっても良いし、含水情報Ｈおよび低位発熱量の両方の情報であっても良い。
【００９９】
上記の構成によれば、提供木質バイオマスＦの運搬先Ｔｄへの到着時以降からの含水情報Ｈの推移が予測される。これによって、被提供者側は提供木質バイオマスＦを実際に使用する際の含水情報Ｈの予測値を事前に知ることができるため、燃焼性に影響を与える含水情報を加味したプラントの運転が可能となる。
【０１００】
以上、提供木質バイオマスＦの含水情報Ｈについて、購入時、保管場所Ｓｐへの到着時、ボイラに供給する時のいずれかにおいて、その推定値を提示する実施形態について説明した。本発明は上述した実施形態に限定されることはなく、上述した実施形態に変形を加えた形態や、これらの形態を適宜組み合わせた形態も含む。
【符号の説明】
【０１０１】
１        流通支援装置
２１      推定対象情報取得部
２２      参照含水推移取得部
２３      含水情報推定部
２４      低下速度算出部
２５      起点含水情報取得部
２６      推定実行部
２７      起点含水情報推定部
２８      過去環境情報取得部
３１      出力情報生成部
３２      出力部
４１      運搬予定情報取得部
４２      発送時含水情報取得部
４３      環境予測取得部
４４      到着時含水情報推定部
４５      参照到着時含水情報取得部
４６      予測部
６        早見表
Ｍ        地図情報
Ｍｐ      ポップアップ画面
Ｉｏ      出力情報
Ｄｆ      提供木材データベース
Ｒｆ      木材レコード
Ｄｐ      参照木材データベース
Ｒｐ      過去レコード
Ｄｗ      環境データベース
Ｒｗ      過去環境レコード
Ｄｔ      運搬実績データベース
Ｒｔ      運搬実績レコード
Ｄｃ      環境予測データベース
Ｆ        提供木質バイオマス
Ｆａ      第１提供木質バイオマス
Ｆｂ      第２提供木質バイオマス
Ｆｃ      第３提供木質バイオマス
Ｆｄ      第４提供木質バイオマス
Ｆｒ      参照木質バイオマス
Ｑ        検索条件
Ｑｆ      木材検索条件
Ｑｐ      過去検索条件
Ｂ        木材情報
Ｂｔ      燃料種類
Ｂｋ      樹種
Ｂｄ      原料由来
Ｓ        保管情報
Ｓｍ      保管方法
Ｓｐ      保管場所
Ｅ        推定含水情報
ｔｅ      推定対象時刻（推定含水情報の推定対象時刻）
Ｅｏ      推定起点含水情報
Ｈ        含水情報
Ｈｔ      含水推移情報
Ｈｒ      参照含水推移情報
Ｈｓ      発送時含水情報
Ｈｏ      起点含水情報
ｔｏ      推定起点時刻（起点含水情報の推定起点時刻）
ｘ        推定起点時刻からの経過時間
Ｈｍ      測定含水情報
ｔｍ      測定時刻（測定含水情報の測定時刻）
Ｖ        低下速度（含水率の低下速度）
Ｗ        環境情報
Ｗｐ      過去環境情報
Ｗｃ      環境予測情報
Ｔｄ      運搬先
Ｔ        運搬予定情報
Ｔｓ      発送予定時刻
Ｔｒ      運搬予定経路
Ｔ１      到着予定時刻
Ｆｔ      運搬済木質バイオマス
Ｈ１      推定到着時含水情報
Ｈａ      発送時実績含水情報
Ｈｄ      到着時含水実績情報
Ｈｄｒ    参照到着時含水情報
Ｗａ      運搬時環境実績情報
Ｐ        運搬実績情報
Ｐａ      運搬実績経路
【図１】
2019091111.tif 000003
【図２Ａ】
2019091111.tif 000004
【図２Ｂ】
2019091111.tif 000005
【図３】
2019091111.tif 000006
【図４】
2019091111.tif 000007
【図５】
2019091111.tif 000008
【図６】
2019091111.tif 000009
【図７】
2019091111.tif 000010
【図８】
2019091111.tif 000011
【図９】
2019091111.tif 000012
【図１０】
2019091111.tif 000013